(57)【要約】【課題】記憶されたコンテンツに対する操作のし忘れを防止するコンテンツ操作支援装置及びコンテンツ操作支援プログラムを提供する。【解決手段】操作履歴情報作成部３００ｄは、操作部２０を介してなされたコンテンツデータ２７０に対する操作履歴情報２７２を作成し、グループ分類部３００ｃは、記憶部２７ｂに記憶されたコンテンツデータ２７０をグループに分類する。推薦条件決定部３００ｅは、分類されたグループの推薦条件を決定し、推薦条件判定部３００ｆは、グループに属すコンテンツデータ２７０に対して、推薦条件に適合するか否かを判定し、適合するコンテンツデータ２７０があるとき、そのコンテンツデータ２７０に対する、推薦する操作を画像表示装置４の画像表示部４０に表示させることを特徴とする録画再生装置及びプログラムを提供する。【選択図】図４
2008301118.tif 000002
【特許請求の範囲】
【請求項１】
コンテンツデータと番組表情報を記憶する記憶部と、
前記コンテンツデータを出力する出力部と、
前記コンテンツデータに対する操作を受け付ける操作部と、
前記操作部を制御する制御部とを備え、
前記制御部は、
前記操作部を介してなされた前記コンテンツデータに対する操作履歴情報を作成し、
前記番組表情報及び前記操作履歴情報に基づいて前記コンテンツデータをグループに分類し、
前記グループの前記操作履歴情報に基づいて推薦条件を作成し、
前記操作履歴情報及び前記推薦条件に基づいて前記コンテンツデータが前記推薦条件に適合するか否かを判定し、前記コンテンツデータが前記推薦条件に適合するとき、前記推薦条件に基づいて推薦情報を作成して前記出力部から出力させることを特徴とするコンテンツ操作支援装置。
【請求項２】
前記記憶部は、前記番組表情報としてＥＰＧ（Ｅｌｅｃｔｒｏｎｉｃ  Ｐｒｏｇｒａｍ Ｇｕｉｄｅ）情報及びＥＣＧ（Ｅｌｅｃｔｒｏｎｉｃ  Ｃｏｎｔｅｎｔｓ  Ｇｕｉｄｅ）情報のうち少なくとも１つを有することを特徴とする請求項１に記載のコンテンツ操作支援装置。
【請求項３】
前記制御部は、前記コンテンツデータに対する未予約、予約済み、録画中、未視聴、視聴中、視聴済み、消去済み、予約取消し、録画中止、編集済み及びリムーバブルメディアに移動といった状態遷移と操作がなされた時刻に基づいて前記操作履歴情報を作成することを特徴とする請求項１に記載のコンテンツ操作支援装置。
【請求項４】
前記制御部は、前記コンテンツデータが前記記憶部に記憶されたときの設定条件に基づいて前記操作履歴情報を作成することを特徴とする請求項１に記載のコンテンツ操作支援装置。
【請求項５】
前記制御部は、前記コンテンツデータの解像度、ビットレート、及びコーデックのうち少なくとも１つを前記設定条件とすることを特徴とする請求項４に記載のコンテンツ操作支援装置。
【請求項６】
前記制御部は、前記グループに属する前記コンテンツデータの第１の状態から第２の状態に前記状態遷移を行うまでの時間の平均値に基づいてしきい値を算出し、
前記コンテンツデータが、前記第１の状態から前記しきい値を超えて操作されていないことを前記推薦条件とすることを特徴とする請求項３に記載のコンテンツ操作支援装置。
【請求項７】
前記制御部は、前記グループに属する前記コンテンツデータが所定の状態に前記状態遷移を行う統計情報に基づいて前記推薦情報を作成することを特徴とする請求項３に記載のコンテンツ操作支援装置。
【請求項８】
前記制御部は、前記グループに属する前記コンテンツデータが所定の状態に前記状態遷移を行った数と、行わない数の比を前記統計情報とすることを特徴とする請求項７に記載のコンテンツ操作支援装置。
【請求項９】
前記制御部は、前記グループに属する前記コンテンツデータが所定の状態に前記状態遷移を行った頻度を前記統計情報とすることを特徴とする請求項７に記載のコンテンツ操作支援装置。
【請求項１０】
操作部を介してなされたコンテンツデータに対する操作履歴情報を作成する操作履歴情報作成部と、
記憶部に記憶された番組表情報、及び前記操作履歴情報に基づいて前記コンテンツデータをグループに分類するグループ分類部と、
前記グループの推薦条件を決定し、前記コンテンツデータが前記推薦条件に適合するか判定し、推薦情報を作成する推薦条件作成部と、
前記推薦情報を表示させる表示部として機能させることを特徴とするプログラム。
【発明の詳細な説明】
【技術分野】
【０００１】
本発明は、コンテンツ操作支援装置及びプログラムに関する。
【背景技術】
【０００２】
従来の技術として、所定の期間に蓄積装置に蓄積する予定のコンテンツを決定するステップと、前記蓄積装置に蓄積されたコンテンツのうち、所定の期間に消去する予定のコンテンツを決定するステップと、前記消去する予定のコンテンツの情報を表示部に表示させるステップとを有するプログラムがある（特許文献１）。
【０００３】
このプログラムは、蓄積する予定のコンテンツを決定し、蓄積する予定のコンテンツを蓄積装置に蓄積するための残容量が足りないとき、視聴者の嗜好を分析したプロファイル情報に基づいて消去可能な蓄積装置に蓄積されたコンテンツをリストアップし、表示装置に表示させる。
【特許文献１】特開２００５−１９８２６０号公報
【発明の開示】
【発明が解決しようとする課題】
【０００４】
しかし従来のプログラムによると、蓄積されたコンテンツに対する消去以外の操作の推薦を行うことができないので、例えば、蓄積されたコンテンツに対する編集のし忘れを防止することができなかった。
【０００５】
従って、本発明の目的は、記憶されたコンテンツに対する操作のし忘れを防止するコンテンツ操作支援装置及びプログラムを提供することにある。
【課題を解決するための手段】
【０００６】
（１）本発明は、上記目的を達成するために、コンテンツデータと番組表情報を記憶する記憶部と、前記コンテンツデータを出力する出力部と、前記コンテンツデータに対する操作を受け付ける操作部と、前記操作部を制御する制御部とを備え、前記制御部は、前記操作部を介してなされた前記コンテンツデータに対する操作履歴情報を作成し、前記番組表情報及び前記操作履歴情報に基づいて前記コンテンツデータをグループに分類し、前記グループの前記操作履歴情報に基づいて推薦条件を作成し、前記操作履歴情報及び前記推薦条件に基づいて前記コンテンツデータが前記推薦条件に適合するか否かを判定し、前記コンテンツデータが前記推薦条件に適合するとき、前記推薦条件に基づいて推薦情報を作成して前記出力部から出力させることを特徴とするコンテンツ操作支援装置を提供する。
【０００７】
上記した構成によれば、記憶されたコンテンツに対する操作のし忘れを防止することができる。
【０００８】
（２）本発明は、上記目的を達成するために、コンピュータを操作部を介してなされたコンテンツデータに対する操作履歴情報を作成する操作履歴情報作成部と、記憶部に記憶された番組表情報、及び前記操作履歴情報に基づいて前記コンテンツデータをグループに分類するグループ分類部と、前記グループの推薦条件を決定し、前記コンテンツデータが前記推薦条件に適合するか判定し、推薦情報を作成する推薦条件作成部と、前記推薦情報を表示させる表示部として機能させることを特徴とするプログラムを提供する。
【０００９】
上記した構成によれば、記憶されたコンテンツに対する操作のし忘れを防止することができる。
【発明の効果】
【００１０】
本発明によると、記憶されたコンテンツに対する操作のし忘れを防止することができる。
【発明を実施するための最良の形態】
【００１１】
[実施の形態]
図１は、本発明の実施の形態に係る録画再生システムの概略構成図である。録画再生システム１は、コンテンツ操作支援装置としての録画再生装置２と画像表示装置４とで概略構成されており、画像及び音声信号等が伝播するＨＤＭＩ（Ｈｉｇｈ−Ｄｅｆｉｎｉｔｉｏｎ Ｍｕｌｔｉｍｅｄｉａ Ｉｎｔｅｒｆａｃｅ）ケーブル５によって接続されている。録画再生装置２は、リモコン２００によって遠隔操作可能になっており、画像表示装置４は、画像表示部４０と、音声出力部４１と、後述するＨＤＭＩ部４２とを有している。
【００１２】
（録画再生装置２の構成）
図２は、本発明の実施の形態に係るリモコンの概略構成図であり、図３は、本発明の実施の形態に係る録画再生装置のブロック図である。録画再生装置２は、視聴者の操作を受け付ける操作部２０と、リモコン２００からの操作信号を受信する受光部２０Ａと、アンテナ２１ａを介してコンテンツを受信するデジタルチューナ２１ｂと、デジタルチューナ２１ｂで受信した受信データからコンテンツ毎に受信データを分離するストリームプロセッサ２１と、分離された受信データの画像信号をデコードするビデオデコーダ部２２と、画像表示装置４に出力する画像に、予約設定画面等を重ねて画像表示装置４に表示させる処理を行うＯＳＤ（Ｏｎ−Ｓｃｒｅｅｎ Ｄｉｓｐｌａｙ）部２２ａと、分離された受信データの音声信号をデコードするオーディオデコーダ部２３と、デコードされた音声信号にイコライジング等の処理を行い、その処理された音声信号を画像表示装置４に出力するＤＳＰ（Ｄｉｇｉｔａｌ Ｓｉｇｎａｌ Ｐｒｏｃｅｓｓｏｒ）２３ａと、ＨＤＭＩ規格に準拠した、ＨＤＭＩケーブル５を介した信号出力が可能なＨＤＭＩ部２４と、ＯＳＤ部２２ａ、ＤＳＰ部２３ａ及びＨＤＭＩ部２４とで構成される出力部２５と、Ｂ−ＣＡＳ（ＢＳ Ｃｏｎｄｉｔｉｏｎａｌ Ａｃｃｅｓｓ Ｓｙｓｔｅｍｓ）カードの読取りと認証を行うＢ−ＣＡＳカード部２６と、リムーバブルメディアの読取りと書込みを行うリムーバブルメディア部２７ａ、及び記憶部２７ｂが接続されるＩ／Ｆ（Ｉｎｔｅｒｆａｃｅ）部２７と、一時的にデータを記憶するメモリ２８と、Ｅｔｈｅｒｎｅｔ（登録商標）、ＵＳＢ（Ｕｎｉｖｅｒｓａｌ Ｓｅｒｉａｌ Ｂｕｓ）及びＩＥＥＥ１３９４（Ｉｎｓｔｉｔｕｔｅ ｏｆ Ｅｌｅｃｔｒｉｃａｌ ａｎｄ Ｅｌｅｃｔｒｏｎｉｃ Ｅｎｇｉｎｅｅｒｓ １３９４）等の入出力端子を介してデータの入出力が行える入出力部２９と、現在の時間や予約確認画面等を表示する表示部３０と、記憶部２７ｂに記憶されたプログラム３００を読出し、実行するＣＰＵ（Ｃｅｎｔｒａｌ Ｐｒｏｃｅｓｓｉｎｇ Ｕｎｉｔ）３１とを有し、それらがバス３２を介して各種データを送受信している。
【００１３】
操作部２０は、図１に示すように、録画再生装置２の電源の入・切を行う電源ボタン２０ａと、コンテンツデータ２７０の再生、録画等の停止操作を行う停止ボタン２０ｂと、コンテンツデータ２７０の再生操作を行う再生ボタン２０ｃと、コンテンツデータ２７０を記憶部２７ｂに記憶させる録画操作を行う録画ボタン２０ｄと、再生中のコンテンツデータ２７０の早送り操作を行う早送りボタン２０ｅと、再生中のコンテンツデータ２７０の巻戻し操作を行う巻戻しボタン２０ｆとを有する。
【００１４】
操作部２０の一部としてのリモコン２００は、テレビ機能操作スイッチ群２０１と、表示機能操作スイッチ群２０２と、録画再生操作スイッチ群２０３と、数値入力スイッチ群２０４とを有する。
【００１５】
記憶部２７ｂは、受信したコンテンツを処理をしたデータであるコンテンツデータ２７０と、番組表情報２７１と、操作履歴情報２７２と、グループ情報２７３と、しきい値２７４と、プログラム３００とを記憶している。番組表情報２７１は、例えばＥＰＧやＥＣＧ等の電子番組表である。
【００１６】
ＨＤＭＩ部２４は、画像表示装置４のＨＤＭＩ部４２とＨＤＭＩケーブル５によって接続され、画像及び音声信号の他に画像表示装置４が表示可能な解像度等の装置情報、及び各種命令等の信号をＨＤＭＩ部４２との間で送受信する。
【００１７】
（プログラム３００の構成）
図４は、本発明の実施の形態に係るプログラムの構成図である。プログラム３００は、ＣＰＵ３１によって記憶部２７ｂより読出されて実行され、アプリケーション群３００Ａとドライバ群３００Ｂを有し、オペレーティングシステム３０１によって全体が管理されている。
【００１８】
（アプリケーション群３００Ａの構成）
アプリケーション群３００Ａは、コンテンツの録画・再生を管理する録画再生部３００ａと、番組表情報２７１を定期的に記憶部２７ｂに蓄積させる番組表情報蓄積部３００ｂと、記憶部２７ｂに記憶されたコンテンツデータ２７０をグループに分類し、後述するグループ情報を作成するグループ分類部３００ｃと、コンテンツデータ２７０毎の操作履歴情報２７２を作成する操作履歴情報作成部３００ｄと、グループ毎にグループ情報を解析し、しきい値２７４及び推薦条件を決定する推薦条件決定部３００ｅと、しきい値２７４及び推薦条件に基づいてコンテンツデータ２７０の適合性を判定し、コンテンツデータ２７０に対する操作の推薦情報を作成する推薦条件判定部３００ｆとを有する。操作の推薦情報は、メモリ２８に一時的に記憶され、出力部２５を介して画像表示装置４の画像表示部４０に表示される。
【００１９】
（ドライバ群３００Ｂの構成）
ドライバ群３００Ｂは、デバイス群２００Ａを管理しており、操作部２０を管理するキードライバ３０２と、デジタルチューナ２１ｂを管理するチューナドライバ３０３と、ビデオデコーダ部２２及びオーディオデコーダ部２３を管理するエンコードドライバ３０４と、出力部２５を管理する出力ドライバ３０５と、Ｂ−ＣＡＳカード部２６を管理するＢ−ＣＡＳドライバ３０６と、Ｉ／Ｆ部２７を管理するＩ／Ｆドライバ３０７と、メモリ２８を管理するメモリドライバ３０８と、入出力部２９を管理する入出力ドライバ３０９と、表示部３０を管理する表示ドライバ３１０とを有する。
【００２０】
（番組表情報２７１の構成）
図５は、本発明の実施の形態に係る番組表情報の一例を表す図である。番組表情報２７１における項目名は、格納されている情報の種類を、長さは、項目毎のビットを、サンプルは、格納される情報の一例を、備考は、各項目に対する注釈を表している。番組表情報２７１は、番組表情報蓄積部３００ｂによって、放送又はインターネットを介して定期的に（例えば１週間間隔）取得される。
【００２１】
番組表情報２７１は、コンテンツを識別するために付された８ビットの番組識別子２７１ａと、コンテンツを放送した放送局を表す４ビットの放送局コード２７１ｂと、その放送局名を表す６４ビットの放送局名２７１ｃと、コンテンツを放送した年月日を表す８ビットの放送日２７１ｄと、コンテンツの放送が開始された時間を表す４ビットの開始時間２７１ｅと、放送開始から終了までの時間を表す４ビットの時間長２７１ｆと、スポーツやニュースといったジャンルを表す４ビットのジャンルコード２７１ｇと、二ヶ国語放送や文字放送等であるか否かを表す１６ビットの放送モード２７１ｈと、コンテンツのタイトルを表す５１２ビットのコンテンツタイトル２７１ｉと、コンテンツの副題を表す５１２ビットのサブタイトル２７１ｊと、コンテンツに出演する出演者を表す１０２４ビットの出演者２７１ｋと、コンテンツに含まれるコーナー等を表す２０４８ビットのコーナー情報２７１ｌと、コンテンツの内容を表す２０４８ビットの詳細情報２７１ｍとによって構成されている。
【００２２】
（コンテンツの状態遷移１００）
図６は、本発明の実施の形態に係るコンテンツの状態遷移を示す図である。本実施の形態において各コンテンツは、図６に示すような状態のいずれかを有し、操作部２０等からのイベントにより状態間を遷移するものとする。図６では、状態を楕円で、イベントによる遷移を矢印で、イベントを矢印の近傍に記述して表現している。各コンテンツが、いつ、どの状態に入ったかは、操作履歴情報作成部３００ｄによって記録される。なお、イベントには、例えば、視聴者の嗜好に基づいたコンテンツの自動録画等も含まれるものとする。
【００２３】
また、全てのコンテンツは未予約１０１から始まり、録画予約されることで予約済１０２に遷移し、実際に録画が開始されることで録画中１０３に遷移する。予約済１０２の段階で予約が取り消された場合には、予約取消１１１に遷移し、録画中１０３に録画を中止したときは、録画中止１２１に遷移する。録画が終了したコンテンツは、未視聴１０４に自動的に遷移する。その後、初めて視聴が開始されたとき、視聴中１０５に遷移し、視聴が終了した段階で視聴済１０６に遷移する。その後記憶部２７ｂより消去された場合には消去済１０７に遷移する。また、未視聴１０４、視聴中１０５、視聴済１０６のとき、編集作業が行われると、一度編集済１３１に遷移し、また、リムーバブルメディアにそのコンテンツがコピーされたとき、リムーバブルメディアに移動１４１に遷移する。
【００２４】
イベントの種類としては、コンテンツの予約を行うイベントである録画予約、予約録画開始時間に録画を開始するイベントである録画開始時間到来、予約録画を終了するイベントである録画終了時間到来、コンテンツの再生のイベントである再生、コンテンツを初めから最後まで視聴するイベントであるすべて再生、コンテンツの消去のイベントである消去、予約した録画のキャンセルのイベントである予約キャンセル、録画の停止のイベントである録画停止、コンテンツをリムーバブルメディアにコピー又は移動するイベントであるコピー・移動、コンテンツに対する編集と編集したコンテンツの再生のイベントである編集・再生がある。なお、コンテンツのビットレートや解像度等の出力や記憶に関する設定条件の変更は、上記のイベント「編集」に相当している。
【００２５】
リムーバブルメディアは、例えば、ＤＶＤのような光ディスク、ＮＡＮＤ型フラッシュメモリ及び外付けＨＤＤ（Ｈａｒｄ Ｄｉｓｋ Ｄｒｉｖｅ）等である。
【００２６】
（操作履歴情報２７２の構成）
図７は、本発明の実施の形態に係る操作履歴情報の一例を表す図である。操作履歴情報２７２は、操作履歴情報作成部３００ｄによって作成され、コンテンツのタイトルを表すタイトル２７２ａと、図６に示すコンテンツの状態を表す状態２７２ｂと、状態２７２ｂに遷移した時刻を表す遷移時刻２７２ｃとで構成されている。
【００２７】
状態２７２ｂは、記号Ｓで表され、図６に示す状態遷移１００に応じて番号を記号Ｓの上付き文字として付加する。例えば、コンテンツが未視聴１０４に状態２７２ｂが遷移したとき、Ｓ１０４と表す。また、コンテンツの状態２７２ｂが遷移する順番を下付き文字で付加し、コンテンツが最初に予約済１０２を取り、録画中１０３を介して現在未視聴１０４であるなら、現在の状態２７２ｂは、Ｓ３１０４と表す。同様に、ｉ番目の状態２７２ｂが消去済１０７であるなら、Ｓｉ１０７と表される。
【００２８】
遷移時刻２７２ｃは、記号Ｔで表され、コンテンツの状態２７２ｂが遷移する順番を下付き文字として付加し、上記のＳｉ１０７の状態２７２ｂに遷移した時刻をＴｉと表す。
【００２９】
また、コンテンツが最後に操作された状態２７２ｂは、Ｓlastで表し、その遷移時刻２７２ｃは、Ｔlastで表す。
【００３０】
（グループ情報２７３の構成）
図８は、本発明の実施の形態に係るグループ情報の一例を表す図である。グループ情報２７３は、グループ分類部３００ｃによって作成され、記憶部２７ｂに記憶される。グループ情報２７３は、複数のコンテンツの操作履歴情報２７２をグループ単位で表している。
【００３１】
グループタイトル２７２ｄは、グループに付されたタイトルを表しており、タイトル２７２ａ「朝の特ダネ情報局＃１」のＳlastに対応する状態２７２ｂは、Ｓ6１０７で表され、その遷移時刻２７２ｃは、０７／０２／０３  ２２：５４（Ｔ6）で表されている。なお、「朝の特ダネ情報局＃１」は、コンテンツ「朝の特ダネ情報局」の放送又は配信された第１回目のコンテンツであることを表している。
【００３２】
図９は、本発明の実施の形態に係るグループ情報の一例を表す図である。この図９では、図８に示すグループ情報２７３と異なる例について表している。図９の最後の状態遷移１００は、リムーバブルメディアに移動１４１になっており、これは、例えば、リムーバブルメディアの記憶容量が２時間であり、コンテンツデータ２７０が記憶部２７ｂに２時間分蓄積されると、移動の処理を行っていたことを表している。
【００３３】
（操作推薦ウインドウの構成）
図１０は、本発明の実施の形態に係る操作推薦ウインドウに関する図である。操作推薦ウインドウ２４０は、推薦条件判定部３００ｆによって作成された推薦情報を表示しており、推薦情報は、バス３２を介して出力部２５に送信され、出力部２５のＯＳＤ部２２ａによって、例えば、画像表示装置４に送信されるコンテンツデータ２７０の画像信号に重畳して送信される。
【００３４】
操作推薦ウインドウ２４０には、メッセージ２４１と、メッセージ２４１に対する処理を選択可能な「はい」２４２と、「いいえ」２４３とが表示されている。
【００３５】
（録画再生システム１の動作）
以下に、本発明の実施の形態における録画再生システム１の動作を図１から図１０を参照しつつ図１１のフローチャートに従って詳細に説明する。
【００３６】
（グループの分類）
コンテンツが、視聴者によって録画予約されたとき、操作履歴情報作成部３００ｄは、図６に示す状態２７２ｂ（予約済み１０２）、及びその遷移した時刻に基づいて操作履歴情報２７２を作成する（Ｓ１）。同様に、コンテンツが放送又は配信された時刻に、視聴者の操作によって録画されたとき、操作履歴情報作成部３００ｄは、図６に示す状態２７２ｂ（録画中１０３）、及びその遷移時刻２７２ｃに基づいて操作履歴情報２７２を作成する。このとき、操作履歴情報２７２には、録画予約の設定、及び録画時の設定も含まれる。録画予約の設定、及び録画時の設定は、例えば、録画を実行する日時、ビットレート、コーデック、オプション設定等が含まれている。
【００３７】
録画再生装置２のグループ分類部３００ｃは、コンテンツがコンテンツデータ２７０として録画予約又は視聴者の操作によって録画されたとき、番組表情報２７１及び操作履歴情報２７２に基づいてコンテンツデータ２７０をいくつかのグループに分類する（Ｓ２）。
【００３８】
分類の方法として、例えば、録画された時刻による分類、ジャンルによる分類、タイトルによる分類、キーワードによる分類、録画時の設定による分類等が考えられる。録画された時刻による分類は、例えば、毎日の同じ時間の予約（録画）、及び毎週の決まった時間の予約（録画）等に基づいた分類。ジャンルによる分類は、例えば、図５に示す番組表情報２７１のジャンルコード２７１ｇに基づいた分類。タイトルによる分類は、例えば、図５のコンテンツタイトル２７１ｉ又はサブタイトル２７１ｊに基づいた分類。キーワードによる分類は、例えば、図５に示す出演者２７１ｋが同じであるコンテンツデータ２７０をグループとする分類。録画時の設定による分類は、例えば、ビットレートやコーデック等に基づいた分類。上記のような分類方法が例として考えられ、これらを単独、又は組合せて使用することができる。本実施の形態における図８に示すグループＡの分類方法は、例えば、キーワード（出演者２７１ｋ）に基づいた分類方法であるとする。分類する際のキーワード等の設定は、視聴者が、設定することができる。
【００３９】
上記の方法によってグループ分類部３００ｃは、コンテンツデータ２７０をグループに分類し、グループ毎にグループ情報２７３を作成し、操作履歴情報作成部３００ｄが作成した操作履歴情報２７２に基づいてグループ情報２７３は、更新される。
【００４０】
（推薦条件の決定）
続いて作成されたグループ情報２７３が作成されてから所定の期間（例えば３日間）が経過したとき、推薦条件決定部３００ｅは、グループに対する推薦条件を決定する（Ｓ３）。なお、推薦条件を決定するタイミングは、これに限定されず、グループに含まれるコンテンツデータ２７０の数、状態遷移１００の回数、所定の状態２７２ｂに遷移したとき、及び操作されなかった期間等に基づいて推薦条件を決めるようにしても良いし、これらを組み合わせても良い。なお、操作履歴情報２７２は、コンテンツデータ２７０が消去された後、一定期間、例えば、一ヶ月は保存されるものとする。また、所定の期間は、視聴者が任意に決定でき、グループ毎に設定できるものとする。
【００４１】
推薦条件決定部３００ｅは、所定の期間を経過した図８に示すグループ情報２７３を記憶部２７ｂから読出す。続いて推薦条件決定部３００ｅは、グループ情報２７３に基づいてグループの推薦条件を以下の方法によって決定する。
【００４２】
図８におけるグループ情報２７３は、タイトル２７２ａ「朝の特ダネ情報局♯１」の最後の状態２７２ｂ（Ｓlast）は、Ｓ６１０７であり、また、その遷移時刻２７２ｃ（Ｔlast）は、Ｔ６である。また同様に、タイトル２７２ａ「女王様のブランチ♯１」の最後の状態２７２ｂ（Ｓlast）は、Ｓ６１０７であり、また、その遷移時刻２７２ｃ（Ｔlast）は、Ｔ６である。よって推薦条件決定部３００ｅは、このグループの最後の状態２７２ｂは、消去済１０７であると解析する。また、タイトル２７２ａ「朝の特ダネ情報局♯１」の最後からひとつ前の状態２７２ｂ（Ｓlast-1）から最後の状態２７２ｂ（Ｓlast）までの期間（Ｔ６―Ｔ５）は、２分間であり、タイトル２７２ａ「女王様のブランチ♯１」の最後からひとつ前の状態２７２ｂ（Ｓlast-1）から最後の状態２７２ｂ（Ｓlast）までの期間（Ｔ６―Ｔ５）は、３分間であることから、例えば、この期間の平均値を算出し（この場合は２．５分）、この平均値（２．５分）と所定の定数の積をこのグループのしきい値２７４として設定し、記憶部２７ｂに記憶する。
【００４３】
ここで、本実施の形態において平均値は、２つのコンテンツデータ２７０の期間から算出したが、グループ内にｍ個のコンテンツデータ２７０がある場合は、ｍ個の平均を取っても良いし、計算量を減らすため、ｍ個よりも少ない個数で擬似的な平均値を取るようにしても良く、これに限定されない。また、所定の定数は、録画再生装置２の工場出荷時に設定しておいても良く、視聴者が設定できるようにしても良い。
【００４４】
推薦条件決定部３００ｅは、所定の定数を例えば、４として、しきい値２７４を１０分と決定し、推薦条件を「最後の状態２７２ｂが視聴済１０６であり、最後の状態２７２ｂからしきい値２７４（１０分）を超えて状態遷移１００していないコンテンツデータ２７０に対し消去の推薦を行う」と定義する。
【００４５】
（推薦条件の適合判定）
続いて推薦条件判定部３００ｆは、上記の推薦条件に基づいてグループに含まれるコンテンツデータ２７０の中で、この推薦条件に適合するコンテンツデータ２７０が存在するか否かを判定する。図８におけるタイトル２７２ａ「朝の特ダネ情報局＃２」は、最後の状態２７２ｂが、視聴済１０６であり、最後の操作からしきい値２７４を超える期間、操作されていないので、推薦条件判定部３００ｆは、タイトル２７２ａ「朝の特ダネ情報局＃２」が、推薦条件に適合すると判定し（Ｓ４；Ｙｅｓ）、タイトル２７２ａ「朝の特ダネ情報局＃２」を有するコンテンツデータ２７０の消去を推薦する推薦情報を作成し、ＣＰＵ３１は、出力部２５を介して画像表示装置４に推薦情報を送信する（Ｓ５）。
【００４６】
推薦情報を受信した画像表示装置４は、図１０に示すメッセージ２４１（このグループのコンテンツは「視聴後すぐに消去されている」コンテンツです）を画像表示部４０に表示する（Ｓ７）。
【００４７】
視聴者は、例えばリモコン２００の録画再生操作スイッチ群２０３に含まれる選択ボタンを操作し、操作部２０から操作信号を受信したＣＰＵ３１は、「はい」２４２が選択されたとき、対応するコンテンツデータ２７０を記憶部２７ｂから消去し、「いいえ」２４３が選択されたとき、画像表示装置４の画像表示部４０に表示された操作推薦ウインドウ２４０を閉じて処理を終了する（Ｓ６）。
【００４８】
ここで、ステップ４において、グループの中に推薦条件に適合するコンテンツデータ２７０が無いとき（Ｓ４；Ｎｏ）、推薦条件判定部３００ｆは、処理を終了する。
【００４９】
（コピーの推薦）
上記の例では、推薦条件に適合するコンテンツデータ２７０の消去の推薦について説明したが、図９に示すグループ情報２７３の場合についての操作の推薦について説明する。
【００５０】
上記と同様の方法によって、グループ分類部３００ｃは、グループ情報２７３を作成する。推薦条件決定部３００ｅは、グループ情報２７３に基づいて、図９に示すタイトル２７２ａ「朝の特ダネ情報局♯１」及び「女王様のブランチ♯１」の最後の状態２７２ｂがリムーバブルメディアに移動１４１であり、その遷移時刻２７２ｃが同じ時刻で、かつ、タイトル２７２ａ「女王様のブランチ♯１」の状態２７２ｂがリムーバブルメディアに移動１４１に遷移した時刻が、視聴済１０６から１０分後であることから、このグループのコンテンツデータ２７０は、およそ２時間分のコンテンツデータ２７０が視聴済１０６に遷移した１０分後に、リムーバブルメディアにコピーされるので、「視聴済１０６からしきい値２７４（４０分）を超えて操作されていないコンテンツデータ２７０に対しコピーの推薦を行う」と推薦条件を定義する。しきい値２７４は、定数を４として算出した。
【００５１】
続いて推薦条件判定部３００ｆは、タイトル２７２ａ「朝の特ダネ情報局♯２」及び「朝の特ダネ情報局♯３」の最後の状態２７２ｂ（Ｓlast）は、視聴済１０６であり、最後の操作からしきい値２７４を経過してもなお、状態２７２ｂがリムーバブルメディアに移動１４１ではないので、上記した解析結果に基づいてタイトル２７２ａ「朝の特ダネ情報局♯２」及び「朝の特ダネ情報局♯３」に対応するコンテンツデータ２７０のリムーバブルメディアへのコピーを推薦する推薦情報を作成し、ＣＰＵ３１は、出力部２５を介して画像表示装置４に推薦情報を送信する。
【００５２】
推薦情報を受信した画像表示装置４は、コピーを推薦するメッセージ２４１を画像表示部４０に表示する。
【００５３】
視聴者は、例えばリモコン２００の録画再生操作スイッチ群２０３に含まれる選択ボタンを操作し、操作部２０から操作信号を受信したＣＰＵ３１は、「はい」２４２が選択されたとき、対応するコンテンツデータ２７０をリムーバブルメディアにコピーする処理を開始し、「いいえ」２４３が選択されたとき、画像表示装置４の画像表示部４０に表示された操作推薦ウインドウ２４０を閉じて処理を終了する。
【００５４】
なお、操作の推薦は、上記の例に限定されず、各グループの各状態２７２ｂに対して推薦条件を決めることができ、しきい値２７４の決定方法も平均だけでなく、頻度や状態２７２ｂが他の状態２７２ｂに遷移する最短時間、又は最長時間に基づいて算出しても良い。また、ある状態２７２ｂに遷移したことがあるコンテンツデータ２７０の数とそうでないコンテンツデータ２７０の数の比又は頻度に基づいてしきい値２７４を決定しても良い。また、第１の状態２７２ｂから第２の状態２７２ｂに遷移したコンテンツデータ２７０の数とそうでない数の比又は頻度に基づいてしきい値２７４を決定しても良い。更にコンテンツデータ２７０が、リムーバブルメディアに移動１４１に遷移する際に、最も多く適用された「ビットレート」、「解像度」、「自動チャプター分割設定」、「保存フォルダ」及び「録画優先度」等を記憶部２７ｂに設定情報として記憶し、編集済１３１に遷移したことがあるコンテンツデータ２７０のうち、未視聴１０４からリムーバブルメディアに移動１４１に遷移するまでの平均時間を算出し、その平均値と定数の積をしきい値２７４として用いるようにしても良く、またこれらを組み合わせても良い。
【００５５】
（実施の形態の効果）
上記した実施の形態によれば、記憶されたコンテンツに対する操作のし忘れを防止することができる
【００５６】
なお、本発明は、上記した実施の形態に限定されず、本発明の技術思想を逸脱あるいは変更しない範囲内で種々の変形が可能である。また、これらはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって回路として実現されてもよい。
【図面の簡単な説明】
【００５７】
【図１】本発明の実施の形態に係る録画再生システムの概略構成図である。
【図２】本発明の実施の形態に係るリモコンの概略構成図である。
【図３】本発明の実施の形態に係る録画再生装置のブロック図である。
【図４】本発明の実施の形態に係るプログラムの構成図である。
【図５】本発明の実施の形態に係る番組表情報の一例を表す図である。
【図６】本発明の実施の形態に係るコンテンツの状態遷移を示す図である。
【図７】本発明の実施の形態に係る操作履歴情報の一例を表す図である。
【図８】本発明の実施の形態に係るグループ情報の一例を表す図である。
【図９】本発明の実施の形態に係るグループ情報の一例を表す図である。
【図１０】本発明の実施の形態に係る操作推薦ウインドウに関する図である。
【図１１】本発明の実施の形態に係るフローチャートである。
【符号の説明】
【００５８】
１…録画再生システム、２…録画再生装置、４…画像表示装置、５…ＨＤＭＩケーブル、２０…操作部、２０Ａ…受光部、２０ａ…電源ボタン、２０ｂ…停止ボタン、２０ｃ…再生ボタン、２０ｄ…録画ボタン、２０ｅ…早送りボタン、２０ｆ…巻戻しボタン、２１…ストリームプロセッサ、２１ａ…アンテナ、２１ｂ…デジタルチューナ、２２…ビデオデコーダ部、２２ａ…ＯＳＤ部、２３…オーディオデコーダ部、２３ａ…ＤＳＰ部、２４…ＨＤＭＩ部、２５…出力部、２６…Ｂ−ＣＡＳカード部、２７…Ｉ／Ｆ部、２７ａ…リムーバブルメディア部、２７ｂ…記憶部、２８…メモリ、２９…入出力部、３０…表示部、３１…ＣＰＵ、３２…バス、４０…画像表示部、４１…音声出力部、４２…ＨＤＭＩ部、１００…状態遷移、１０１…未予約、１０２…予約済、１０３…録画中、１０４…未視聴、１０５…視聴中、１０６…視聴済、１０７…消去済、１１１…予約取消、１２１…録画中止、１３１…編集済、１４１…リムーバブルメディアに移動、２００…リモコン、２００Ａ…デバイス群、２０１…テレビ機能操作スイッチ群、２０２…表示機能操作スイッチ群、２０３…録画再生操作スイッチ群、２０４…数値入力スイッチ群、２４０…操作推薦ウインドウ、２４１…メッセージ、２４２…「はい」、２４３…「いいえ」、２７０…コンテンツデータ、２７１…番組表情報、２７１ａ…番組識別子、２７１ｂ…放送局コード、２７１ｃ…放送局名、２７１ｄ…放送日、２７１ｅ…開始時間、２７１ｆ…時間長、２７１ｇ…ジャンルコード、２７１ｈ…放送モード、２７１ｉ…コンテンツタイトル、２７１ｊ…サブタイトル、２７１ｋ…出演者、２７１ｌ…コーナー情報、２７１ｍ…詳細情報、２７２…操作履歴情報、２７２ａ…タイトル、２７２ｂ…状態、２７２ｃ…遷移時刻、２７２ｄ…グループタイトル、２７３…グループ情報、２７４…しきい値、３００…プログラム、３００Ａ…アプリケーション群、３００Ｂ…ドライバ群、３００ａ…録画再生部、３００ｂ…番組表情報蓄積部、３００ｃ…グループ分類部、３００ｄ…操作履歴情報作成部、３００ｅ…推薦条件決定部、３００ｆ…推薦条件判定部、３０１…オペレーティングシステム、３０２…キードライバ、３０３…チューナドライバ、３０４…エンコードドライバ、３０５…画像出力ドライバ、３０６…Ｂ−ＣＡＳドライバ、３０７…Ｉ／Ｆドライバ、３０８…メモリドライバ、３０９…入出力ドライバ、３１０…表示ドライバ
【図１】
2008301118.tif 000003
【図２】
2008301118.tif 000004
【図３】
2008301118.tif 000005
【図４】
2008301118.tif 000006
【図５】
2008301118.tif 000007
【図６】
2008301118.tif 000008
【図７】
2008301118.tif 000009
【図８】
2008301118.tif 000010
【図９】
2008301118.tif 000011
【図１０】
2008301118.tif 000012
【図１１】
2008301118.tif 000013